(57)【要約】【課題】本発明は、棒状の要素部材を面状に配列しても確実に部材間の隙間を遮蔽することができるとともに積み重ねて配列した竹垣構造を組立てた場合にその高さを容易に調整することが可能な竹垣用棒状要素部材及びそれを用いた竹垣構造を提供することを目的とするものである。【解決手段】棒状要素部材１は、押出成形された合成樹脂製管材からなり、外周面の適宜箇所に竹様の節部２が形成されている。また、軸方向に沿って直線状の凸条部３が形成されるとともに、中心軸に関して凸条部３と対称となる位置に軸方向に沿って凹条部４が形成されている。隣接する棒状要素部材１の凸条部３と凹条部４を嵌合させて面状に配列して組立てて竹垣構造を構築する。凸条部３には、所要箇所に薄板状の高さ調整片７が配置されており、紐６の巻き付けや竹垣構造の高さを微調整する。【選択図】図４
2007314966.tif 000002
【特許請求の範囲】
【請求項１】
合成樹脂製管材からなるとともに外周面に竹様の節部が一体成形された竹垣用棒状要素部材であって、軸方向に沿って外周面に直線状に設けられるとともに前記節部よりも高く形成された凸条部と、中心軸に関して前記凸条部と対称となる位置に軸方向に沿って外周面に直線状に設けられるとともに前記凸条部が嵌合可能な凹条部とを備えていることを特徴とする竹垣用棒状要素部材。
【請求項２】
請求項１に記載の複数の竹垣用棒状要素部材を互いの凸条部と凹条部とが嵌合するように面状に配列して固定した竹垣構造であって、前記凸条部の表面に沿うように形成された薄板状の高さ調整片を前記凸条部及び前記凹条部の間の所要箇所に挟持して前記棒状要素部材を固定していることを特徴とする竹垣構造。
【請求項３】
合成樹脂製管材からなるとともに外周面に竹様の節部が一体成形された竹垣用棒状要素部材であって、軸方向に沿って外周面に直線状に設けられるとともに当該棒状要素部材の外周面の一部が収容可能で前記節部よりも深く形成された凹条部を備えていることを特徴とする竹垣用棒状要素部材。
【請求項４】
請求項３に記載の複数の竹垣用棒状要素部材を面状に配列するとともに各棒状要素部材の凹条部に隣接する棒状要素部材の外周面を収容して固定した竹垣構造であって、前記棒状要素部材の外周面に沿うように形成された薄板状の高さ調整片を前記外周面及び前記凹条部の間の所要箇所に挟持して前記棒状要素部材を固定していることを特徴とする竹垣構造。
【発明の詳細な説明】
【技術分野】
【０００１】
本発明は、竹垣の構築に用いられる合成樹脂製の棒状要素部材及びそれを用いた竹垣構造に関する。
【背景技術】
【０００２】
和風建築物として竹垣は古来より築造されてきているが、直射日光や風雨に曝されると、色が悪くなったり竹が割れるといったことが発生して数年おきに築造しなおさなければならなかった。そのため、竹垣用に使用される竹材を模造した合成樹脂製の要素部材が竹垣に使用されるようになっている。合成樹脂製の要素部材は、耐久性があって色が褪せることがなく、また築造コストの面からも節減することができる。
【０００３】
本発明者は、特許文献１に記載されているように、押出成形された合成樹脂管材の所定位置に節部及び枝跡部を形成する合成樹脂製模造竹材の製造方法を開発した。この製造方法による模造竹材を竹垣に用いた場合、竹垣の両面に模造竹材が表出するため、より竹垣に近い風情を醸し出すことができる。
【０００４】
こうした管状の要素部材を用いて竹垣構造を築造する場合には、例えば、特許文献２では、適当な間隔で支柱部材を地面に立設し、支柱部材同士が対面する側面部分に開口部が向かい合う状態で支持部材を取り付け、支持部材の開口部の間に横桟部材を上下に架設し、横桟部材の間に垣根部材を配設する点が記載されている。また、特許文献３では、間隔をおいて設けられた柱に固定された継手に擬似竹材の両端を挿入して竹垣を築造する点が記載されている。また、特許文献４では、竹様の横桟部材の両端部間に所定の寸法置きに支柱を立設し、横桟部材の両端部を受け入れる溝が形成された形鋼部材を支柱に沿わせて位置させ、形鋼部材の前面に横桟部材と同様の竹様部材を取り付けた点が記載されている。
【特許文献１】特開２００１−２１２８６４号公報
【特許文献２】特開平１１−１０７５８５号公報
【特許文献３】実開平４−８４６７５号公報
【特許文献４】実開平３−３３１５９号公報
【発明の開示】
【発明が解決しようとする課題】
【０００５】
上述した先行文献では、管状の要素部材を上下方向に配列して竹垣構造としているが、こうした管状の要素部材の場合外周面に節部が突出しているため、部材同士を互いに密着させて配列しても節部が当たるためわずかな隙間が生じるようになる。
【０００６】
近年温泉に対する人気が復活しつつあり、露天風呂等の温泉関連の建造物が築造されてきているが、和風の雰囲気を醸し出すための仕切りとしてこうした竹垣構造を用いた場合要素部材の隙間から覗き見ることが可能となり、特に露天風呂を外部から遮蔽する目隠し用の仕切り壁としては用いることができない。
【０００７】
また、本発明者が開発した押出成形による合成樹脂製の要素部材の場合成形過程において要素部材の外径寸法に製造誤差が生じるため、要素部材を積み重ねて配列した竹垣構造を組立てると、要素部材の製造誤差が累積されて竹垣構造毎の高さの相違が目立つようになる。そのため、竹垣構造を連ねて遮蔽構造を構築する場合、高さが揃わず美観を損ねたものとなってしまうといった問題点がある。
【０００８】
そこで、本発明は、棒状の要素部材を面状に配列しても確実に部材間の隙間を遮蔽することができるとともに積み重ねて配列した竹垣構造を組立てた場合にその高さを容易に調整することが可能な竹垣用棒状要素部材及びそれを用いた竹垣構造を提供することを目的とするものである。
【課題を解決するための手段】
【０００９】
本発明に係る竹垣用棒状要素部材は、合成樹脂製管材からなるとともに外周面に竹様の節部が一体成形された竹垣用棒状要素部材であって、軸方向に沿って外周面に直線状に設けられるとともに前記節部よりも高く形成された凸条部と、中心軸に関して前記凸条部と対称となる位置に軸方向に沿って外周面に直線状に設けられるとともに前記凸条部が嵌合可能な凹条部とを備えていることを特徴とする。
【００１０】
本発明に係る竹垣構造は、複数の上記竹垣用棒状要素部材を互いの凸条部と凹条部とが嵌合するように面状に配列して固定した竹垣構造であって、前記凸条部の表面に沿うように形成された薄板状の高さ調整片を前記凸条部及び前記凹条部の間の所要箇所に挟持して前記棒状要素部材を固定していることを特徴とする。
【００１１】
本発明に係る別の竹垣用棒状要素部材は、合成樹脂製管材からなるとともに外周面に竹様の節部が一体成形された竹垣用棒状要素部材であって、軸方向に沿って外周面に直線状に設けられるとともに当該棒状要素部材の外周面の一部が収容可能で前記節部よりも深く形成された凹条部を備えていることを特徴とする。
【００１２】
本発明に係る別の竹垣構造は、上記の別の竹垣用棒状要素部材を複数面状に配列するとともに各棒状要素部材の凹条部に隣接する棒状要素部材の外周面を収容して固定した竹垣構造であって、前記棒状要素部材の外周面に沿うように形成された薄板状の高さ調整片を前記外周面及び前記凹条部の間の所要箇所に挟持して前記棒状要素部材を固定していることを特徴とする。
【発明の効果】
【００１３】
本発明は、上記の構成を備えることで、軸方向に沿って外周面に直線状に設けられるとともに節部よりも高く形成された凸条部に、中心軸に対して凸条部と対称となる位置に軸方向に沿って外周面に直線状に設けられるとともに凸条部が嵌合可能な凹条部を重ね合わせれば、凸条部が節部よりも高く形成されているので、棒状要素部材間の隙間を見えないように確実に遮断することができる。
【００１４】
そして、軸方向に沿った凸条部及び凹条部を設けることで棒状要素部材の強度が大きくなり、凸条部及び凹条部を嵌合させて竹垣を構成した場合に面構造となって十分な強度を得ることができる。また、軸方向に凸条部及び凹条部を形成することで、押出成形時に発生する軸方向の湾曲を抑えることができる。また、凸条部及び凹条部は、互いに嵌合して配列されるために凸条部が外観上目に付くことはなく竹垣の風情を損なうことはない。
【００１５】
そして、複数の要素部材を面状に配列して互いの凸条部及び凹条部を嵌合させた場合に、凸条部の表面に沿うように形成された薄板状の高さ調整片を凸条部及び凹条部の間の所要箇所に挟持させることで、複数の要素部材を積み重ねて竹垣構造を組立てた場合にその高さを微調整することができ、竹垣構造を連ねて遮蔽構造を構築する場合に全体として竹垣構造の高さをきれいに整列して構築することが可能となる。
【００１６】
本発明に係る別の竹垣用棒状要素部材についても、軸方向に沿って外周面に直線状に設けられるとともに棒状要素部材の外周面の一部が収容可能で節部よりも深く形成された凹条部に対して隣接する棒状要素部材の外周面を収容すれば、凹条部が節部よりも深く形成されているので、棒状要素部材間の隙間を見えないように確実に遮断することができる。
【００１７】
そして、本発明に係る別の竹垣用棒状要素部材を複数本面状に配列して竹垣構造を組立てる場合に、棒状要素部材の外周面に沿うように形成された薄板状の高さ調整片を外周面及び凹条部の間の所要箇所に挟持するようにすれば、竹垣構造の高さを容易に微調整することができ、竹垣構造を連ねて遮蔽構造を構築する場合に全体として竹垣構造の高さをきれいに整列して構築することが可能となる。
【発明を実施するための最良の形態】
【００１８】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１９】
図１は、本発明に係る棒状要素部材に関する一部拡大斜視図であり、図２は、図１のＡ−Ａ断面図を示している。棒状要素部材１は、合成樹脂製の略円管状の管材からなっており、外周面には周方向に全周にわたって竹様の節部２が盛り上がるように形成されている。そして、節部２は、軸方向に適当な間隔を空けて配設されており、その間隔は１本ずつ異なるように設定すると、より自然の竹に近い外観を表出することができる。
【００２０】
また、棒状要素部材１の外周面に軸方向に沿って全長にわたって凸条部３が直線状に形成されている。凸条部３は、断面形状が略半円形状に突出しており、その高さは節部２よりも高く設定されている。また、凹条部４は、棒状要素部材１の外周面に軸方向に沿って全長にわたって直線状に形成されており、棒状要素部材１の中心軸に関して凸条部３と対称位置に配設されている。凹条部４は、断面形状が略円弧状の溝に形成されており、その形状は凸条部３が嵌合可能に形成されている。そして、後述するように、紐により棒状要素部材１を縛り付ける場合や高さ調整片を配設する場合には、凹条部４の溝の大きさを、紐の太さ分又は高さ調整片の厚み分を考慮して凸条部３の形状よりも大きめに形成しておくとよい。
【００２１】
棒状要素部材１は、特許文献１に記載されているような押出成形法により連続して一体成形することができる。
【００２２】
図３は、図１の棒状要素部材１を複数本面状に配列して組立てた竹垣構造Ｆに関する外観斜視図を示している。各棒状要素部材１の凸条部３を隣接する部材の凹条部４に嵌合して互いに密接して配列されている。こうして積み重ねて面状に配列された棒状要素部材１を支持部材５により支持している。支持部材５は、合成樹脂材料で竹材を半分に割った割り竹に模して成形されており、積み重ねられた棒状要素部材１の両側に対となるように配置されて両側から挟持するように支持している。そして、棒状要素部材１を固定するために、紐６が棒状要素部材１の間に通されて支持部材５に縛り付けられている。支持部材５は、図示せぬ基台上に設けられた取付孔に下端部が挿着されて固定されている。
【００２３】
以上のように構成された竹垣構造Ｆは、棒状要素部材１の凸条部３及び凹条部４を嵌合させて互いに密着するように配列されているので、棒状要素部材１の間の隙間が遮蔽されて隙間を通してみることができなくなる。また、凸条部３の高さが節部２よりも高く形成されているので、節部２同士が重なって隙間が大きくなったとしても確実に遮蔽することが可能となる。さらに、凹条部４は、凸条部３が嵌合可能となるように大きめに形成されて凸条部３を隠蔽するので、棒状要素部材を組立てた状態では外観上凸条部３は見えなくなってデザイン上も問題ない。
【００２４】
図４は、棒状要素部材１を組立てる場合の分解斜視図である。下方の棒状要素部材１には固定用の紐６が巻かれており、その上に高さ調整片７が配設されている。高さ調整片７は、図５に示すように、矩形の薄板状で合成樹脂材料からなり、凸条部３の表面に沿うように断面略半円弧状に形成されている。そして、図５（ｂ）では、巻き付けた紐６を覆うように配置する場合に、紐６が嵌め込まれる切欠き部８が形成されている。
【００２５】
棒状要素部材１は、押出成形により製造されるため成形された合成樹脂材料か硬化していく段階でその外径寸法にわずかな製造誤差が生じる。例えば、２５ｍｍ径の棒状要素部材の場合±０．２ｍｍの外径誤差が発生する。そのため、要素部材を積み重ねて配列した竹垣構造を組立てると、棒状要素部材の製造誤差が累積されて竹垣構造毎の高さの相違が目立つようになる。こうした竹垣構造を複数並列させて遮蔽構造を構築する場合には、高さ調整片を図４に示すように所要箇所に挿入して各竹垣構造の高さの微調整を行えば、竹垣構造の高さの揃った優れたデザインに仕上げることが可能となる。
【００２６】
また、棒状要素部材１を積み重ねて配列した場合に左側が下がるように傾いてきた場合には、必要に応じて左側端部の凸条部３に高さ調整片７を配置して高さ調整を行うようにしてもよい。
【００２７】
また、棒状要素部材１に紐６を巻き付ける場合には、紐６の太さの部分だけ棒状要素部材１が上昇するようになるが、紐６が巻き付けられた部分に図５（ｂ）に示す高さ調整片７を配置して部材全体を安定した状態で固定することができる。また、高さ調整片７を配置して固定することで、紐６に対する棒状要素部材１からの押圧力が緩和されて紐６に対するダメージを抑えることができる。
【００２８】
なお、以上の例では、棒状要素部材１の凸条部３及び凹条部４の断面形状を略半円弧状に形成しているが、例えば、図６に示すように、矩形断面形状の凸条部３’及び凹条部４’（図６（ａ））や三角断面形状の凸条部３”及び凹条部４”（図６（ｂ））のように形成してもよく、嵌合可能な形状であれば特に限定されない。
【００２９】
以上のように、押出成形により成形された合成樹脂製管材からなる棒状要素部材を用いて竹垣構造を構築する場合に、軸方向に沿って形成された凸条部及び凹条部を嵌合させて隙間を遮蔽するとともに高さ調整片で調整して全体として配列方向の揃った見栄えのよい竹垣を容易に構築することができ、露天風呂等の外部遮蔽壁として好適な建造物となる。
【００３０】
また、棒状要素部材に凸条部及び凹条部を形成することで強度が向上し、凸条部及び凹条部を嵌合して面構造に組立てることで竹垣構造としても強度が大きくなるとともに組み立て方法が簡略化することができる。
【００３１】
図７は、本発明に係る別の棒状要素部材１０に関する一部拡大斜視図であり、図８は、図７のＢ−Ｂ断面図を示している。棒状要素部材１０は、合成樹脂製の略円管状の管材からなっており、外周面には周方向に全周にわたって竹様の節部１２が盛り上がるように形成されている。そして、節部１２は、軸方向に適当な間隔を空けて配設されており、その間隔は１本ずつ異なるように設定すると、より自然の竹に近い外観を表出することができる。こうした節部の構成は、図１に示す棒状要素部材と同様のものである。
【００３２】
棒状要素部材１０の外周面に軸方向に沿って全長にわたって凹条部１１が直線状に形成されている。凹条部１１は、断面形状が略円弧状の溝に形成されており、その形状は棒状要素部材１０の外周面の一部と嵌合可能となるように形成されている。そして、上述したように、紐により棒状要素部材１０を縛り付ける場合や高さ調整片を配設することを考慮して、凹条部１１の溝の大きさを棒状要素部材１０の外周面よりも大きめに形成しておくとよい。
【００３３】
図９は、図１の棒状要素部材１０を複数本面状に配列して組立てた竹垣構造に関する外観斜視図を示している。各棒状要素部材１０の凹条部１１を隣接する部材の外周面に嵌合して互いに密接して配列されている。このように、棒状要素部材１０の凹条部１１を外周面に嵌合して互いに密着するように配列すれば、棒状要素部材１０の間の隙間が遮蔽されて隙間を通してみることができなくなる。また、凹条部１１の深さが節部１２よりも高く形成されているので、節部１２同士が重なって隙間が大きくなったとしても確実に遮蔽することが可能となる。
【００３４】
また、棒状要素部材１０を複数配列して竹垣構造を組立てる場合にも、図４及び図５に示すように、高さ調整片７を部材間に挿入して組立てれば、竹垣構造全体の高さの微調整を行うことができる。したがって、竹垣構造を複数並列して遮蔽構造を築造する場合に、竹垣構造の高さの揃った優れたデザインに仕上げることが可能となる。
【００３５】
以上のように、押出成形により成形された合成樹脂製管材からなる棒状要素部材を用いて竹垣構造を構築する場合に、軸方向に沿って形成された凹条部に隣接する部材の外周面を嵌合させて隙間を遮蔽するとともに高さ調整片で調整して全体として配列方向の揃った見栄えのよい竹垣を容易に構築することができ、露天風呂等の外部遮蔽壁として好適な建造物となる。
【図面の簡単な説明】
【００３６】
【図１】本発明に係る棒状要素部材に関する一部拡大斜視図である。
【図２】図１のＡ−Ａ断面図である。
【図３】図１の棒状要素部材を用いた竹垣構造に関する斜視図である。
【図４】図３の竹垣構造の分解斜視図である。
【図５】高さ調整片に関する外観斜視図である。
【図６】棒状要素部材の変形例に関する断面図である。
【図７】本発明に係る別の棒状要素部材に関する一部拡大斜視図である。
【図８】図７のＢ−Ｂ断面図である。
【図９】図７の棒状要素部材を用いた竹垣構造に関する一部拡大斜視図である。
【符号の説明】
【００３７】
１    棒状要素部材
２    節部
３    凸条部
４    凹条部
５    支持部材
６    紐
７    高さ調整片
８    切欠き部
10    棒状部材
11    凹条部
12    節部
【図１】
2007314966.tif 000003
【図２】
2007314966.tif 000004
【図３】
2007314966.tif 000005
【図４】
2007314966.tif 000006
【図５】
2007314966.tif 000007
【図６】
2007314966.tif 000008
【図７】
2007314966.tif 000009
【図８】
2007314966.tif 000010
【図９】
2007314966.tif 000011